(57)【特許請求の範囲】
【請求項１】
一連のデータを記録媒体に記録するデータ記録装置において、
前記データを前記記録媒体に記録する記録手段と、
前記データを複数の前記記録媒体に分割して記録する際には、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させるように、前記記録手段を制御する制御手段と
を備えることを特徴とするデータ記録装置。
【請求項２】
一連のデータを記録媒体に記録するデータ記録装置において、
前記データを前記記録媒体に記録する記録手段と、
前記データを前記記録媒体の複数の記録面に分割して記録する際には、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させるように、前記記録手段を制御する制御手段と
を備えることを特徴とするデータ記録装置。
【請求項３】
前記制御手段は、前記データの記録が第３の前記記録媒体で終了しているかを識別する終了マークを、第３の前記記録媒体に記録させるように、前記記録手段を制御することを特徴とする請求項１に記載のデータ記録装置。
【請求項４】
前記制御手段は、前記データの記録が第３の前記記録面で終了しているかを識別する終了マークを、第3の前記記録面に記録させるように、前記記録手段を制御することを特徴とする請求項２に記載のデータ記録装置。
【請求項５】
前記データを前記記録媒体又は前記記録面に記録する際に、前記データから予め予測される予測値を計測することによって得られる予測管理テーブルを格納するメモリ手段を更に備え、
前記制御手段は、前記メモリ手段に格納された前記予測管理テーブルを、前記記録手段により記録されたデータを計測することによって得られる実測値に応じて前記管理テーブルに更新する
ことを特徴とする請求項１又は２に記載のデータ記録装置。
【請求項６】
前記管理フラグは、前記予測値と前記実測値との大小関係を識別するためのフラグを含むことを特徴とする請求項５に記載のデータ記録装置。
【請求項７】
前記予測値は、前記データを前記記録媒体又は前記記録面に記録する際に、前記データから予め予測される前記データの容量または記録時間を含み、
前記実測値は、前記記録手段により記録されたデータを計測することによって得られる前記データの容量または記録時間を含む
ことを特徴とする請求項５に記載のデータ記録装置。
【請求項８】
前記データは画像データであり、連続する該データ間の相関を利用して符号化処理されたデータであることを特徴とする請求項１乃至７に記載のデータ記録装置。
【請求項９】
前記記録媒体は光ディスクであることを特徴とする請求項１乃至８に記載のデータ記録装置。
【請求項１０】
一連のデータを複数の記録媒体に分割して記録する際に、複数の記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させた各前記記録媒体から前記一連のデータを再生するデータ再生装置であって、
前記記録媒体に記録された管理フラグと管理用データに基づいて、前記一連のデータが記録された複数の記録媒体をアクセスして前記一連のデータを再生する再生手段を備えることを特徴とするデータ再生装置。
【請求項１１】
一連のデータを前記記録媒体の複数の記録面に分割して記録する際に、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させた各前記記録媒体から前記一連のデータを再生するデータ再生装置であって、
前記記録媒体に記録された管理フラグと管理用データに基づいて、前記一連のデータが記録された前記記録媒体の複数の記録面をアクセスして前記一連のデータを再生する再生手段を備えることを特徴とするデータ再生装置。
【請求項１２】
一連のデータを記録媒体に記録するデータ記録方法であって、
前記データを複数の前記記録媒体に分割して記録する際に、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させることを特徴とするデータ記録方法。
【請求項１３】
一連のデータを記録媒体に記録するデータ記録方法であって、
前記データを前記記録媒体の複数の記録面に分割して記録する際に、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させることを特徴とするデータ記録方法。
【請求項１４】
一連のデータを複数の記録媒体に分割して記録する際に、複数の記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させた各前記記録媒体から前記一連のデータを再生するデータ再生方法であって、
前記記録媒体に記録された管理フラグと管理用データに基づいて、前記一連のデータが記録された複数の記録媒体をアクセスして前記一連のデータを再生することを特徴とするデータ再生方法。
【請求項１５】
一連のデータを前記記録媒体の複数の記録面に分割して記録する際に、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させた各前記記録媒体から前記一連のデータを再生するデータ再生方法であって、
前記記録媒体に記録された管理フラグと管理用データに基づいて、前記一連のデータが記録された前記記録媒体の複数の記録面をアクセスして前記一連のデータを再生することを特徴とするデータ再生方法。
【請求項１６】
一連のデータを記録したデータの記録媒体であって、
前記データが複数の前記記録媒体に分割されて記録され、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとが、第１の前記記録媒体に記録されたことを特徴とするデータ記録媒体。
【請求項１７】
一連のデータを記録したデータの記録媒体であって、
前記データが前記記録媒体の複数の記録面に分割されて記録され、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとが、第１の前記記録面に記録されたことを特徴とするデータの記録媒体。
【発明の詳細な説明】
【０００１】
【産業上の利用分野】
本発明は、データ記録装置、データ再生装置、データ記録方法、データ再生方法及びデータの記録媒体に関し、例えばＭＰＥＧ（Moving  Picture  Experts  Group）を用いて画像データを記録する際に、予め予測される記録媒体又は情報記録面の数に応じて領域を確保した後画像データを記録し、この画像データの記録結果に基づいてこの領域に管理用データを記録することにより、データの内容に応じてデータ圧縮率が大きく変化する場合等でも、簡易かつ確実に画像データを分割して記録した複数の記録媒体等を管理できるようにし、これにより画像データについては画質劣化を有効に回避して大量の画像データを記録できるようにする。
【０００２】
【従来の技術】
従来、光ディスク等に画像データを記録する場合、画像データを符号化処理して記録するようになされ、この符号化の１手法としてＭＰＥＧによる符号化方式が提案されている。
【０００３】
すなわちこのＭＰＥＧは、規定の色差フォーマット（例えば４：２：２でなる）で規定される画像データをＤＣＴブロック単位でディスクリートコサイン変換処理した後、その結果得られる係数データ間の相関を利用して、複数又は１の係数データを１の可変長符号に符号化することにより、順次画像データを符号化する。このときＭＰＥＧは、係数データの発生頻度に応じてデータ長の異なる可変長符号が割り当てられるようになされ、これにより従来の符号化方式に比してデータ圧縮率を格段的に向上して効率良く伝送するようになされている。
【０００４】
またＭＰＥＧは、これらの処理に先立って、画像データをフレーム間符号化処理及びフレーム内符号化処理することにより、連続する画像データ間の相関を有効に利用してデータ量を低減するように規定され、これによっても一段とデータ圧縮率を向上できるようになされている。
【０００５】
すなわちこのＤＣＴブロックは、８×８画素の画像データで形成され、ＭＰＥＧでは、このＤＣＴブロックを符号化の単位として、輝度信号の４ＤＣＴブロックとこれら４ＤＣＴブロックに対応する色差信号のＤＣＴブロックとでマクロブロックが規定される。さらにＭＰＥＧでは、このマクロブロックの集合によりスライスが規定され、このスライスの集合によりＧＯＰ（Group Of Pictures ）が規定され、このＧＯＰの集合により１枚分の画像データに相当するシーケンスが規定されるようになされている。
【０００６】
このためＭＰＥＧでは、順次シーケンス、ＧＯＰ（Group Of Pictures ）、ピクチャ、スライス、マクロブロック、ブロックで規定される６階層の階層構造でデータ構造が規定され、このうち上位のシーケンス層及びＧＯＰ層は、図１５に示すように規定されている。
【０００７】
すなわちシーケンス層は、１枚分の画像データに相当し、この種の光ディスクに画像データを記録する場合、ＭＰＥＧでは、このシーケンス層が連続するようにシーケンス制御することになる。このシーケンス層は、始めにシーケンス層の開始を表す開始同期コード（ＳＨＣ：Sequence Header Code）が割り当てられた後、画像の画素数、アスペクト比等を表すシーケンス層の情報が連続して割り当てられる（図１５（Ａ））。続いてシーケンス層は、ＧＯＰ層が規定回数繰り返された後、続くシーケンス層に移り、複数シーケンス層の終了端においては、終了の同期コード（ＳＥＣ：Sequence End Code ）が割り当てられる。
【０００８】
これに対してＧＯＰ層は、ランダムアクセスの単位となる画面グループの最小単位で、始めにＧＯＰの開始を表す開始同期コード（ＧＳＣ：Group Start Code）が割り当てられた後、シーケンス先頭からの時間を示すタイムコード（ＴＣ：Time Code ）が割り当てられ、続いて規定のフラグ等の情報が割り当てられた後、ピクチャ層が規定回数繰り返されて形成される（図１５（Ｂ））。
【０００９】
これに対してピクチャ層は、開始同期コード、動きベクトルの情報等が順次割り当てられた後、スライス層が規定回数繰り返されて形成され、スライス層は、同様に同期コード等が割り当てられた後、マクロブロック層が繰り返されて形成される。さらにマクロブロック層は、必要な情報がＤＣＴブロック単位で割り当てられ、このＤＣＴブロックとして先の可変長符号が繰り返されるようになされている。
【００１０】
これに対してフレーム間符号化処理及びフレーム内符号化処理は、ＧＯＰ層においてタイムコードＴＣの次に割り当てられるクローズドＧＯＰフラグ（ＣＧ：Closed GOP）によって他のＧＯＰより独立再生可能か否か示されることにより識別できるように形成され、ＭＰＥＧでは、このフレーム間符号化処理として、先行して伝送された画像データを規準にしてフレーム間符号化処理するＰピクチャ（Predictive Picture）と、元の画像データの配列において、時間的に前後する２つの画像データを規準にしてフレーム間符号化処理するＢピクチャ（Bidirectionally predictive Picture）とが規定されるようになされている。
【００１１】
【発明が解決しようとする課題】
ところでＭＰＥＧにおいては、係数データを可変長符号化処理する際、この係数データを規定の量子化テーブルにより量子化した後、可変長符号化処理するようになされており、この量子化テーブルを切り換えて、データ圧縮率を切り換え得るようになされている。
【００１２】
これによりＭＰＥＧは、通常の処理によっては１枚の光ディスクに１つの番組を記録困難な場合でも、量子化サイズの荒い量子化テーブルに切り換えて、大量の画像データをこの１枚の光ディスクに記録することができる。ところがこのようにしてデータ圧縮率を向上すると、その分画質が劣化する問題がある。
【００１３】
この問題を解決する１つの方法として、例えば１枚の光ディスクに１つの番組を記録困難な場合、複数の光ディスクにこの番組を分割して記録する方法が考えられる。ところがこのように１つの番組を複数の光ディスクに分割して記録する場合、再生装置側において、複数の光ディスクの管理が煩雑になる問題があり、ランダムアクセス等の特殊再生が困難になる恐れがある。
【００１４】
特にＭＰＥＧ等の符号化方式は、フレーム間符号化処理が画像データの相関を利用してデータ量を低減する処理でなることにより、またディスクリートコサイン変換処理及び可変長符号化処理を実行することにより、画像の性質（すなわち画像データの内容）により最終的に全体のデータ量が大きく変化する特性を有している。このため予め複数枚の光ディスクに記録することを予定して記録の処理を開始しても、この予定の枚数と異なる記録結果が得られる場合があり、結局、複数枚の光ディスクを管理するための管理用データすら予め用意することが困難な問題がある。
【００１５】
またＭＰＥＧ等の符号化方式においては、フレーム間符号化処理とフレーム内符号化処理を繰り返すことにより、単に規定のタイミングで番組を分割して複数の光ディスクに分割記録した場合、切り換え直後の画像を再生できない恐れもある。
【００１６】
本発明は以上の点を考慮してなされたもので、例えばＭＰＥＧを用いて画像データを記録する際に、画質劣化を有効に回避し、大量のデータを簡易かつ確実に記録再生することができるデータ記録装置、データ再生装置、データ記録方法、データ再生方法及びデータの記録媒体を提案しようとするものである。
【００１７】
【課題を解決するための手段】
かかる課題を解決するため、本発明は、一連のデータを記録媒体に記録するデータ記録装置において、前記データを前記記録媒体に記録する記録手段と、前記データを複数の前記記録媒体に分割して記録する際には、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させるように、前記記録手段を制御する制御手段とを備えることを特徴とする。
【００１８】
また、本発明は、一連のデータを記録媒体に記録するデータ記録装置において、前記データを前記記録媒体に記録する記録手段と、前記データを前記記録媒体の複数の記録面に分割して記録する際には、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させるように、前記記録手段を制御する制御手段とを備えることを特徴とする。
【００１９】
また、本発明は、一連のデータを複数の記録媒体に分割して記録する際に、複数の記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させた各前記記録媒体から前記一連のデータを再生するデータ再生装置であって、前記記録媒体に記録された管理フラグと管理用データに基づいて、前記一連のデータが記録された複数の記録媒体をアクセスして前記一連のデータを再生する再生手段を備えることを特徴とする。
【００２０】
また、本発明は、一連のデータを前記記録媒体の複数の記録面に分割して記録する際に、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させた各前記記録媒体から前記一連のデータを再生するデータ再生装置であって、前記記録媒体に記録された管理フラグと管理用データに基づいて、前記一連のデータが記録された前記記録媒体の複数の記録面をアクセスして前記一連のデータを再生する再生手段を備えることを特徴とする。
【００２１】
また、本発明は、一連のデータを記録媒体に記録するデータ記録方法であって、前記データを複数の前記記録媒体に分割して記録する際に、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させることを特徴とする。
また、本発明は、一連のデータを記録媒体に記録するデータ記録方法であって、前記データを前記記録媒体の複数の記録面に分割して記録する際に、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させることを特徴とする。
【００２２】
また、本発明は、一連のデータを複数の記録媒体に分割して記録する際に、複数の記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させた各前記記録媒体から前記一連のデータを再生するデータ再生方法であって、前記記録媒体に記録された管理フラグと管理用データに基づいて、前記一連のデータが記録された複数の記録媒体をアクセスして前記一連のデータを再生することを特徴とする。
また、本発明は、一連のデータを前記記録媒体の複数の記録面に分割して記録する際に、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させた各前記記録媒体から前記一連のデータを再生するデータ再生方法であって、前記記録媒体に記録された管理フラグと管理用データに基づいて、前記一連のデータが記録された前記記録媒体の複数の記録面をアクセスして前記一連のデータを再生することを特徴とする。
【００２３】
また、本発明は、一連のデータを記録したデータの記録媒体であって、前記データが複数の前記記録媒体に分割されて記録され、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとが、第１の前記記録媒体に記録されたことを特徴とする。
さらに、本発明は、一連のデータを記録したデータの記録媒体であって、前記データが前記記録媒体の複数の記録面に分割されて記録され、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとが、第１の前記記録面に記録されたことを特徴とする。
【００２４】
【作用】
また、本発明では、一連のデータを複数の前記記録媒体に分割して記録する際に、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させることにより、再生時に、この管理テーブルと管理フラグに基づいて正しく複数の記録媒体を管理することができる。
また、本発明では、一連のデータを記録媒体の複数の記録面に分割して記録する際に、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させることにより、再生時に、この管理テーブルと管理フラグに基づいて正しく記録媒体の複数の記録面を管理することができる。
【００２５】
特に先のデータが、画像データでなり、先の符号化方式が、先の画像データを直交変換して得られる係数データについて、該係数データの値に応じて複数又は１の係数データに可変長の１の符号を割り当てて符号化処理する方式でなる場合にあっては、画像データの内容により符号化データのデータ量が大きく変化することにより、光ディスクでなるようなランダムアクセス可能な記録媒体に適用して、管理用データを有効に利用することができる。
【００２６】
すなわち規定の符号化処理により符号化された符号化データを規定の記録媒体より再生するデータ再生装置に適用して、先の記録媒体の先頭領域に記録された管理用データに従って、符号化データが記録された複数の記録媒体又は符号化データが記録された記録媒体の複数の情報記録面をアクセスして符号化データを再生して、例えばランダムアクセス等の使い勝手を向上することができる。
【００２７】
また、本発明では、一連のデータを記録したデータの記録媒体において、前記データが複数の前記記録媒体に分割されて記録され、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとが、第１の前記記録媒体に記録されていることによって、再生時に、この管理テーブルと管理フラグに基づいて正しく複数の記録媒体を管理することができる。
【００２８】
さらに、本発明では、一連のデータを記録したデータの記録媒体において、前記データが前記記録媒体の複数の記録面に分割されて記録され、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとが、第１の前記記録面に記録されていることによって、再生時に、この管理テーブルと管理フラグに基づいて正しく記録媒体の複数の記録面を管理することができる。
【００２９】
【実施例】
以下、適宜図面を参照しながら本発明の実施例を詳述する。
【００３０】
（１）画像データの記録
図１は、本発明の一実施例に係る画像データ処理装置１を示し、例えばディジタルビデオテープレコーダより入力されるＮＴＳＣ方式のディジタルビデオ信号ＤＶをＣＤ−ＲＯＭ書き込み装置２に装填された書き替え可能なＣＤ−ＲＯＭ（すなわちＣＤ−Ｒ（ＣＤ−Recordable）でなる）に記録する。
【００３１】
すなわちこの画像データ処理装置１において、ビデオ符号化器３は、バスＢＵＳを介して入力される制御コマンドに応動して動作を切り換え、順次入力されるディジタルビデオ信号ＤＶをＭＰＥＧに規定された符号化方式により符号化し、その結果得られる符号化データＤＦを動きベクトル等と共にバスＢＵＳに出力する。
【００３２】
このためビデオ符号化器３において、情報源符号化器４は、このディジタルビデオ信号ＤＶをいわゆる４：２：２の色差フォーマットに変換した後、符号化制御器５により制御されて、Ｐピクチャ、Ｂピクチャの符号化に対応する規定の順序で、また８×８画素のＤＣＴブロック単位で、このディジタルビデオ信号ＤＶを形成する画像データを続くビデオ信号多重化符号化器６に出力する。
【００３３】
ビデオ信号多重化符号化器６は、この情報源符号化器４より入力される画像データについて、符号化制御器５により制御されて動き補償等の処理を実行した後、ディスクリートコサイン変換処理し、その結果得られる係数データを量子化する。さらにビデオ信号多重化符号化器６は、この量子化した係数データの値に応じて複数の係数データ又は１の係数データに１の可変長符号を割り当てて符号化処理し、その結果得られる符号化データＤＦをバッファメモリ７を介して出力する。
【００３４】
符号化制御器５は、バスＢＵＳより入力されるコマンドに応動してビデオ符号化器３全体の動作を切り換え、ＭＰＥＧの復号に必要とされるフォーマット、タイムコード、量子化サイズ等の種々の情報をバスＢＵＳに送出する。またこの制御において、符号化制御器５は、バッファメモリ７に格納された符号化データＤＦのデータ量をモニタしながら情報源符号化器４及びビデオ信号多重化符号化器６の動作を制御し、これにより必要に応じてビデオ信号多重化符号化器６の量子化サイズ等を切り換え、バッファメモリ７のオーバーフロー等を有効に回避する。これによりビデオ符号化器３は、順次入力されるディジタルビデオ信号ＤＶをＭＰＥＧの符号化方式により符号化して出力するようになされている。
【００３５】
ＣＤ−ＲＯＭ書き込み装置２は、ＳＣＳＩ（Small computer Sysytem Interface）インターフェース９を介して入力される制御コマンドに応動して動作を切り換え、ＦＩＦＯ（Fist In First Out ）メモリ１０を介して、ＳＣＳＩインターフェース９より入力される符号化データＤＦ等を順次書き込み可能なＣＤ−ＲＯＭに記録する。これによりこの実施例においては、ディジタルビデオ信号ＤＶをビデオ符号化器３で符号化した後、種々の情報と共にＣＤ−ＲＯＭ書き込み装置２に転送して書き込み可能なＣＤ−ＲＯＭに記録するようになされている。
【００３６】
このときＣＤ−ＲＯＭ書き込み装置２は、別途ＳＣＳＩインターフェース９より入力される時間情報でなるタイムコードをＣＤ−ＲＯＭに規定されたフォーマットに従ってサブコードに割り当てて記録し、これによりＣＤ−ＲＯＭに記録された番組を時間管理できるようになされている。
【００３７】
この書き込みの際、ＣＤ−ＲＯＭ書き込み装置２は、書き込み可能なＣＤ−ＲＯＭよりレーザービーム照射位置の位置情報を検出し、これにより書き込み位置の位置情報をＳＣＳＩインターフェース９を介して制御回路１１に出力する。またＣＤ−ＲＯＭ書き込み装置２は、予めＣＤ−ＲＯＭのリードインエリアに形成されたＴＯＣ（Table Of Contents ）より記録可能な時間情報、ＣＤ−ＲＯＭのボリューム等を再生して制御回路１１に出力する。これによりこの実施例では、制御回路１１において、ＣＤ−ＲＯＭの残り記録可能な容量をモニタできるようになされている。
【００３８】
制御回路１１は、この画像データ処理装置１全体の動作を制御するマイクロコンピュータでなり、ワークメモリ１２にワークエリアを確保して規定の処理手順を実行することにより、ビデオ符号化器３に接続されたディジタルビデオテープレコーダを制御すると共にバスＢＵＳに出力される符号化データＤＦ、符号化制御のデータ等を規定の順序でＦＩＦＯメモリ１０に出力し、これにより図１５について上述したデータ構造により順次画像データをＣＤ−ＲＯＭに記録する。
【００３９】
この書き込みの処理において、制御回路１１は、キーボード、マウス、ディスプレイで形成される入出力装置１３を介して、マンマシンインターフェースの処理を実行し、ＣＤ−ＲＯＭに記録する画像データの時間情報（すなわちタイムコードでなる）等を表示するようになされている。
【００４０】
さらに書き込みの処理において制御回路１１は、ＣＤ−ＲＯＭの残り記録可能な容量をモニタし、ディジタルビデオテープレコーダより出力されるディジタルビデオ信号ＤＶのデータ量が１枚のＣＤ−ＲＯＭの容量を越え、このディジタルビデオ信号ＤＶを１枚のＣＤ−ＲＯＭに記録困難になると、このディジタルビデオ信号ＤＶを複数枚のＣＤ−ＲＯＭに分割して記録する。
【００４１】
このとき制御回路１１は、入出力装置１３を介して予めオペレータが入力した記録の処理に関するデータに基づいて、ディジタルビデオ信号ＤＶを１枚のＣＤ−ＲＯＭに記録困難と予め予測されるとき、この予測に基づいて規定のフォーマットにより順次入力される画像データをＣＤ−ＲＯＭに記録する。
【００４２】
すなわち制御回路１１は、ＣＤ−ＲＯＭに記録する番組名、収録する時間長、記録開始位置を指定するタイムコード等を入出力装置１３を介して入力し、これらのデータをワークメモリ１２に格納する。さらに制御回路１１は、実際に収録する番組の時間長と、１枚のＣＤ−ＲＯＭに記録可能な標準の記録時間とから、ディジタルビデオ信号ＤＶを１枚のＣＤ−ＲＯＭに記録困難か否か判断し、また１枚のＣＤ−ＲＯＭに記録困難と判断した場合は必要とされるＣＤ−ＲＯＭの枚数を算出する。
【００４３】
因みに、例えば番組全体の時間長が５５分で、１枚のＣＤ−ＲＯＭに記録可能な標準の記録時間が２０分の場合、制御回路１１は、ディジタルビデオ信号ＤＶを１枚のＣＤ−ＲＯＭに記録困難と判断し、またディジタルビデオ信号ＤＶの記録に必要なＣＤ−ＲＯＭの枚数を３枚と算出する。
【００４４】
ここで図２及び図３は、このように画像データが複数枚に分割されて記録されるＣＤ−ＲＯＭの構成を示す図表であり、図２に示す構成は先頭のＣＤ−ＲＯＭに、図３に示す構成は２枚目以降のＣＤ−ＲＯＭに適用される。
【００４５】
すなわちディジタルビデオ信号ＤＶを１枚のＣＤ−ＲＯＭに記録困難と予測されるとき、先頭のＣＤ−ＲＯＭには、リードインエリアに続いて、ＣＤ−ＲＯＭのボリューム名称が記録され（図２（Ａ））、続いて番組全体の時間長（図２（Ｂ））、続くテーブルの有効／無効フラグ（図２（Ｃ））が記録され、続いてこれら複数枚のＣＤ−ＲＯＭを管理するためのテーブルが記録される（図２（Ｄ））。
【００４６】
このテーブルは、予め予測される枚数分だけ、各ＣＤ−ＲＯＭのボリューム名称、ファイル名、スタート時刻、終了時刻、時間長、適切な切り換え時刻が記録される。ここでこのボリューム名称は、各ＣＤ−ＲＯＭを指定する管理用名称で、例えば最初のＣＤ−ＲＯＭより、ＶＯＬ１、ＶＯＬ２、ＶＯＬ３、……等の名称がオペレータの入力に対応して制御回路１１より順次割り当てられる。これに対して続くファイル名は、各ＣＤ−ＲＯＭに記録された番組内容を指定する名称で、例えば最初のＣＤ−ＲＯＭより、ＰＲＯＧＲＡＭ１、ＰＲＯＧＲＡＭ２、ＰＲＯＧＲＡＭ３、……等の名称がオペレータの入力に対応して制御回路１１より順次割り当てられる。
【００４７】
これに対して続くスタート時刻、終了時刻は、各ＣＤ−ＲＯＭに記録された番組の開始時刻及び終了時刻を表し、最初のＣＤ−ＲＯＭの記録開始時刻からの通算の時刻が、タイムコードのフォーマットにより時、分、秒、フレームの単位で記録される。また続く時間長は、各ＣＤ−ＲＯＭに記録された画像データの記録時間が、同様にタイムコードのフォーマットにより記録され、適切な切り換え時刻は、ＣＤ−ＲＯＭの再生処理を管理する際の、続くＣＤ−ＲＯＭへの再生処理の切り換え時刻がスタート時刻、終了時刻と同様のフォーマットにより記録される。
【００４８】
またこのテーブルは、これら各ＣＤ−ＲＯＭに対応したスタート時刻等に加えて、最後のボリューム名称としてＮＵＬＬ（１６進数で表される値０）が記録され、これによりこの直前のファイルで番組が終了していることを表すようになされている。
【００４９】
このテーブルに続いて、先頭のＣＤ−ＲＯＭは、実際の画像データがファイルの形式で記録され（図２（Ｅ））、このファイルの先頭に、終了マーク、スタート時刻、時間長が記録された後、実際の画像データが記録されるようになされている。ここでこの終了マークは、ＣＤ−ＲＯＭが最後のＣＤ−ＲＯＭか否かを表すフラグで、最後のＣＤ−ＲＯＭにおいて１６進数で値０がセットされ、続くＣＤ−ＲＯＭが存在する場合は１６進数で値１がセットされるようになされている。これに対してスタート時刻、時間長は、テーブルに記録されたスタート時刻、時間長と同一のデータが記録されるようになされている。
【００５０】
これに対して続くＣＤ−ＲＯＭには、リードインエリアに続いて、ＣＤ−ＲＯＭのボリューム名称が記録され（図３（Ａ）、（Ｃ）及び（Ｅ））、続いて実際の画像データがファイルの形式で記録されるようになされている（図３（Ｂ）、（Ｄ）及び（Ｆ））。なおこのボリューム名称は、上述のテーブルに記録されたボリューム名称と対応し、各ファイルは、最初のＣＤ−ＲＯＭと同様に、終了マーク、スタート時刻、時間長が記録された後、実際の画像データが記録されて形成されるようになされている。
【００５１】
これにより画像データ処理装置１では、複数枚に分割してディジタルビデオ信号を記録するとき、先頭のＣＤ−ＲＯＭの先頭領域に、複数枚のＣＤ−ＲＯＭを管理するための管理用データを記録するようになされ、再生時、この管理用データを使用して複数枚のＣＤ−ＲＯＭを簡易にアクセスできるようになされている。
【００５２】
従ってこの実施例においては、データ圧縮率を向上して大量の画像データを１枚のＣＤ−ＲＯＭに無理して記録しなくても、この大量の画像データを複数枚のＣＤ−ＲＯＭに分割して記録して、この管理用データに基づいて複数枚のＣＤ−ＲＯＭを簡易かつ確実に再生することができ、これにより画質劣化を有効に回避して大量の画像データを記録再生することができるようになされている。
【００５３】
なお実際上、テーブルにおいては、これらの情報に加えて、各ファイルをアクセスするために必要な各ＣＤ−ＲＯＭ上の位置情報等が併せて記録され、これにより簡易にアクセスできるようになされている。
【００５４】
このようにして画像データ等を順次ＣＤ−ＲＯＭに記録するにつき、制御回路１１は、テーブル等の記録に必要な領域を予めＣＤ−ＲＯＭ上に確保した後、画像データを記録し、この画像データの記録結果に基づいてテーブルを記録し、また各ＣＤ−ＲＯＭのファイルの先頭に終了マーク等を記録する。
【００５５】
すなわち図４に示すように、制御回路１１は、最初のＣＤ−ＲＯＭについては、ボリューム名称、番組全体の時間長を記録した後、有効／無効フラグを無効にセットして記録する（図４（Ａ））。続いて制御回路１１は、予め予測される枚数分だけ、テーブルを記録した後、ファイルを記録する。このとき制御回路１１は、このテーブルに記録するスタート時刻等については、１枚のＣＤ−ＲＯＭに記録可能な標準の記録時間より予測値を記録し、またファイル名等についても、この予測される枚数分記録する（図４（Ｂ））。
【００５６】
これにより制御回路１１は、図５に示すように、記録する１つの番組に対して、最初のＣＤ−ＲＯＭについては予測値を記録してテーブルの形成に必要な領域を予測される容量だけ確保する。このようにして領域を確保すると、制御回路１１は、同一構成のテーブルをワークメモリ１２に形成した後、ＣＤ−ＲＯＭの残り容量をモニタしながらディジタルビデオ信号ＤＶの記録を開始する。
【００５７】
この状態で制御回路１１は、ＣＤ−ＲＯＭ書き込み装置２に装填されたＣＤ−ＲＯＭに画像データを書き込むことが困難になると、続いてオペレータがＣＤ−ＲＯＭ書き込み装置２に装填したＣＤ−ＲＯＭに続く画像データを記録し、この一連の処理を繰り返すことによりディジタルビデオ信号ＤＶを複数のＣＤ−ＲＯＭに分割して記録する。
【００５８】
この記録の際、制御回路１１は、ワークメモリ１２に形成したテーブルの内容を、順次、実際に各ＣＤ−ＲＯＭに記録したディジタルビデオ信号ＤＶのスタート時刻、終了時刻、時間長により更新する。さらにこのとき、例えば図５に対応して図６に示すように、３枚のＣＤ−ＲＯＭが必要と予測されたのにも係わらず２枚のＣＤ−ＲＯＭで番組の記録が完了した場合、３枚目に対応するボリューム名称にはＮＵＬＬを記録し（図４（Ｄ））、スタート時刻等については、当初の予測値のまま保持する。
【００５９】
これに対して当初予測された枚数よりディジタルビデオ信号ＤＶの記録に多くの枚数を要した場合、制御回路１１は、最後に記録されていたＮＵＬＬを実際のＣＤ−ＲＯＭのボリューム名称に書き換え、また対応するファイル名、スタート時刻等を更新する。
【００６０】
さらに制御回路１１は、番組の収録が完了してこのテーブルが完成すると、最初のＣＤ−ＲＯＭのテーブルの内容をこのワークメモリ１２に形成したテーブルで更新する。このとき制御回路１１は、併せてテーブルの有効／無効フラグを更新し、予測された枚数以内で番組を記録することができたとき、このフラグを有効にセットするのに対し、予測された枚数を越えて番組が記録されたとき、サイズオーバーフラグをセットする。なおこの有効無効のフラグは、１６進数でそれぞれ値０、１、２のとき、無効、有効、サイズオーバーフラグを表すようになされている。
【００６１】
これにより一連の番組が記録されたＣＤ−ＲＯＭにおいては、実際に各ＣＤ−ＲＯＭに記録された記録結果により管理することができ、これによりこの実施例では、ＭＰＥＧにより符号化して画像データの内容により符号化後のデータ量が大きく変化する場合でも、簡易かつ確実に複数枚のＣＤ−ＲＯＭを管理することができるようになされている。
【００６２】
なおこのようにして最後にテーブルを更新する際に、制御回路１１は、併せて各ファイルをアクセスするために必要な位置情報についても実際の記録結果に応じて記録し、これによりランダムアクセス等において、使い勝手を向上できるようになされている。
【００６３】
これに対して図７に示すように、各ＣＤ−ＲＯＭにおいて、制御回路１１は、ボリューム名称に続いて（図７（Ａ））、予め規定値の終了マーク、予測値のスタート時刻等を記録し、これによりこれらのデータ記録のための領域を予め確保する。さらに制御回路１１は、続いて画像データを記録し、ＣＤ−ＲＯＭの容量がいっぱいになると、記録結果に応じて終了マーク、スタート時刻等を正しい値にセットする。
【００６４】
すなわち制御回路１１は、始めに終了マークを値１にセットしてこのＣＤ−ＲＯＭが最終のＣＤ−ＲＯＭであることを表すように設定した後、続いてスタート時刻、時間長をＮＵＬＬにセットする（図７（Ｂ））。この状態で画像データを記録した後、ワークメモリ１２のテーブルについて、記録結果に応じて対応するスタート時刻等を更新し、併せてこのスタート時刻、時間長を正しい時間にセットする（図７（Ｄ））。さらに制御回路１１は、続いて他のＣＤ−ＲＯＭに画像データを記録する場合は、終了マークを値０にセットし、これによりこの終了マークにより続くＣＤ−ＲＯＭが存在することを表示する（図７（Ｃ））。
【００６５】
これによりこの実施例では、各ＣＤ−ＲＯＭにおいても、記録結果により実際のスタート時刻等を記録し、各ＣＤ−ＲＯＭを個別に、簡易かつ確実に管理できるようになされている。
【００６６】
このようにして画像データを記録してテーブルを形成するにつき、制御回路１１は、連続するＣＤ−ＲＯＭで規定時間だけ画像データを重複して記録するように、全体の動作を制御する。すなわち制御回路１１は、ＣＤ−ＲＯＭ書き込み装置２より出力される位置情報に基づいてＣＤ−ＲＯＭに画像データを記録できなくなると、ディジタルビデオテープレコーダに巻き戻しのコマンドを発行し、タイムコードをモニタしながら約２分に相当する長さ分、磁気テープを巻き戻しする。
【００６７】
これにより制御回路１１は、続くＣＤ−ＲＯＭに画像データを記録する際に、連続するＣＤ−ＲＯＭ間で２分間分、画像データを重複して記録する。このようにすればフレーム間符号化処理及びフレーム内符号化処理を繰り返して画像データを記録する場合でも、この記録開始の２分間で、各ＧＯＰで充分にクローズドＧＯＰフラグを立ち上げることができる。
【００６８】
従って１枚のＣＤ−ＲＯＭの後半部分を再生した後、続くＣＤ−ＲＯＭを再生して編集する場合に、単に管理用データに基づいて復号結果を切り換えて出力するだけで連続する画像データを正しく再生でき、これにより簡易な構成で、ＣＤ−ＲＯＭ間に跨がる一連の画像データを正しく再生、復号することができる。従って連続するＣＤ−ＲＯＭ間で、再生対象の切り換えに伴う画像の違和感を有効に回避することができる。また、１枚のＣＤ−ＲＯＭに編集ポイントを設定する場合でも、前後のＣＤ−ＲＯＭに記録された画像を部分的に確認できることにより、その分編集作業も簡略化することができる。
【００６９】
かくして制御回路１１は、このようにして重複して記録した領域の中間の、タイムコードで指定される時刻を適切な切り換えの時刻としてテーブルに記録するようになされ（図４）、これにより再生時、このテーブルを参照して複数のＣＤ−ＲＯＭを簡易に管理して違和感のない画像を再生できるようになされている。またこのとき制御回路１１は、この適切な切り換えの時刻についても、始めに予測値により記録のための領域を確保した後、記録結果に基づいて、正しい時刻を記録するようになされ、これにより画像データの内容によってデータ圧縮率が大きく変化する場合でも、正しい時刻を確実に記録するようになされている。
【００７０】
かくするにつき制御回路１１は、図８に示す処理手順を実行することにより、これら一連の処理を実行する。すなわち制御回路１１は、オペレータがディジタルビデオテープレコーダをセットすると共に、入出力装置１３を介して番組名、ボリューム名称、ファイル名、番組全体の時間を入力した後、規定のコマンドを入力すると、ステップＳＰ１からステップＳＰ２に移り、初期化処理を実行する。
【００７１】
図９に示すように、この初期化処理において、制御回路１１は、ステップＳＰ３からステップＳＰ４に移り、ここでＳＣＳＩインターフェース９を介してＣＤ−ＲＯＭ書き込み装置２に制御コマンドを発行し、ＶＯＬ１に相当するＣＤ−ＲＯＭがＣＤ−ＲＯＭ書き込み装置２に装填されているか否か判断する。ここで否定結果が得られると、制御回路１１は、ステップＳＰ５に移り、入出力装置１３を構成するディスプレイを介して、オペレータにＣＤ−ＲＯＭの装填を促すメッセージを表示した後、ステップＳＰ４に戻る。
【００７２】
これに対してＣＤ−ＲＯＭが装填されている場合、制御回路１１は、ステップＳＰ４からステップＳＰ６に移り、ここで上述した予測値によるテーブルをワークメモリ１２に形成する。続いて制御回路１１は、ステップＳＰ７に移り、予測されるＣＤ−ＲＯＭの枚数を変数ｎの最終値（ｎ−ＥＮＤ）としてワークメモリ１２に記録した後、ステップＳＰ８に移る。
【００７３】
ここで制御回路１１は、ＣＤ−ＲＯＭ書き込み装置２に制御コマンドを発行してＣＤ−ＲＯＭ書き込み装置２の動作を立ち上げ、図２について上述したボリューム名称、番組全体の時間長、テーブルの有効／無効フラグ等のデータを順次ＳＣＳＩインターフェース９を介して出力する。これにより制御回路１１は、これらのデータをＣＤ−ＲＯＭのリードインエリアに続いて記録する。続いて制御回路１１は、ワークメモリ１２に形成したテーブルのデータをＣＤ−ＲＯＭ書き込み装置２に出力し、このＣＤ−ＲＯＭにテーブルを記録する。これにより制御回路１１は、予めテーブルの記録領域をＣＤ−ＲＯＭに確保する。
【００７４】
続いて制御回路１１は、ステップＳＰ９に移り、ここで変数ｎ及びｍを値１にセットした後、ステップＳＰ１０に移り、この初期化処理を終了する。なおこの変数ｎは、ＣＤ−ＲＯＭの先頭からの枚数を表す変数であり、変数ｍはプログラム名に付される数字を表す変数でなる。
【００７５】
このようにして初期化処理を完了すると、制御回路１１は、ステップＳＰ１１（図８）に移り、ここで変数ｎで指定されるボリューム名称のＣＤ−ＲＯＭがＣＤ−ＲＯＭ装置２に装填されているか否か判断し、ここで否定結果が得られると、ステップＳＰ１２に移ってステップＳＰ５の場合と同様にオペレータに注意を促した後、ステップＳＰ１１に戻る。これに対してステップＳＰ１１において肯定結果が得られると、制御回路１１は、ステップＳＰ１３に移る。
【００７６】
ここで制御回路１１は、ディジタルビデオテープレコーダに制御コマンドを発行してオペレータが予め指定した番組を頭出し、続いてＣＤ−ＲＯＭに記録するスタート時刻、時間長のデータを算出する。なおこの制御回路１１は、ディジタルビデオテープレコーダを制御する場合、このディジタルビデオテープレコーダの磁気テープに打ち込まれたタイムコードを規準にして磁気テープを頭出しするようになされている。
【００７７】
続いて制御回路１１は、ステップＳＰ１４に移り、ここでステップＳＰ１３で算出したスタート時刻、時間長のデータを終了マークのデータと共に順次ＣＤ−ＲＯＭ書き込み装置２に送出する。続いて制御回路１１は、ディジタルビデオ信号ＤＶの再生を開始し、このディジタルビデオ信号ＤＶをビデオ符号化器３により順次符号化すると共に、その結果得られる符号化データＤＦを他の動きベクトルのデータ等と共に、ＭＰＥＧのフォーマットに従って順次ＣＤ−ＲＯＭ書き込み装置２に出力する。
【００７８】
制御回路１１は、続いてステップＳＰ１５において、ディジタルビデオテープレコーダより出力されるタイムコードをモニタし、番組が終了したか否か判断し、ここで否定結果が得られると、ステップＳＰ１６に移る。ここで制御回路１１は、ＣＤ−ＲＯＭ書き込み装置２より得られる書き込み位置の位置情報をモニタし、ＣＤ−ＲＯＭの記録可能なデータ量が規定量（例えば１００Ｋバイト）以下になったか否か判断することにより、このＣＤ−ＲＯＭの容量が限界か否か判断し、否定結果が得られるとステップＳＰ１４に戻る。
【００７９】
これにより制御回路１１は、順次ステップＳＰ１４−ＳＰ１５−ＳＰ１６−ＳＰ１４の処理手順を繰り返してディジタルビデオ信号ＤＶをＣＤ−ＲＯＭに記録する。このようにしてディジタルビデオ信号ＤＶを記録してＣＤ−ＲＯＭに画像データを書き込むことができなくなると、ステップＳＰ１６において肯定結果が得られることにより、制御回路１１は、ステップＳＰ１７に移る。
【００８０】
ここで制御回路１１は、変数ｎが変数ｎの最終値（ｎ−ＥＮＤ）に一致するか否か判断することにより、ＣＤ−ＲＯＭの枚数が当初予測した枚数に到達したか否か判断し、ここで否定結果が得られると、ステップＳＰ１８に移る。制御回路１１は、ここでＣＤ−ＲＯＭに記録した時間より、ワークメモリ１２に形成したテーブルについて、対応するファイルのスタート時刻、終了時刻、時間長、適切な切り換え時間を更新する。なおこれらの時間は、ディジタルビデオ信号ＤＶのタイムコードとは異なり、最初のＣＤ−ＲＯＭの記録開始の時刻より連続する時刻により規定される。
【００８１】
続いて制御回路１１は、ステップＳＰ１９に移り、ＣＤ−ＲＯＭに予め確保した領域に、終了マーク、スタート時刻、時間長を記録し直す。これにより制御回路１１は、各ファイルの先頭に記録する終了マーク、スタート時刻、時間長を、実際の記録結果により記録し直し、続くステップＳＰ２０に移る。
【００８２】
このステップＳＰ２０において、制御回路１１は、続くＣＤ−ＲＯＭのスタート時刻を算出した後、ステップＳＰ２１に移り、変数ｎ及びｍをインクリメントしてステップＳＰ１１に戻る。これにより制御回路１１は、続くＣＤ−ＲＯＭがＣＤ−ＲＯＭ書き込み装置２に装填されるのを待ち受け、ＣＤ−ＲＯＭが装填されると、再び終了マーク、スタート時刻、時間長の記録領域を確保した後、ディジタルビデオテープレコーダを頭出しし、ディジタルビデオ信号ＤＶを記録する。このとき制御回路１１は、連続するＣＤ−ＲＯＭ間で２分間分重複して画像データを記録するように、磁気テープを巻き戻して頭出しする。
【００８３】
これにより制御回路１１は、この続くＣＤ−ＲＯＭについて一連の画像データを記録し、予定した番組の収録がこのＣＤ−ＲＯＭで完了しない場合、ステップＳＰ１６において再び否定結果が得られることにより、ステップＳＰ１７−ＳＰ１８−ＳＰ１９−ＳＰ２０−ＳＰ２１の処理手順を実行した後、ステップＳＰ１１に戻り、続くＣＤ−ＲＯＭに画像データを記録する。
【００８４】
これに対して予定した枚数のＣＤ−ＲＯＭにおいても予定した番組の記録が完了しない場合、ステップＳＰ１６において肯定結果が得られた後、続くステップＳＰ１７において肯定結果が得られることにより、制御回路１１は、ステップＳＰ２２に移る。ここで制御回路１１は、ワークメモリ１２に形成したテーブルについて、有効／無効フラグをサイズオーバーフラグにセットした後、ステップＳＰ２０に移る。
【００８５】
これにより画像データ処理装置１では、予め予定された枚数でディジタルビデオ信号ＤＶの収録が完了しない場合、サイズオーバーフラグをセットした後、ステップＳＰ１１から処理手順を繰り返し、これにより予定した枚数を越えても、予定した番組の収録が完了するまで、必要に応じてＣＤ−ＲＯＭの交換を促してディジタルビデオ信号ＤＶを記録する。
【００８６】
このようにしてディジタルビデオ信号ＤＶの記録を継続して予定した番組の記録が完了すると、制御回路１１は、ステップＳＰ１５において肯定結果が得られることにより、ステップＳＰ２３に移り、終了の処理手順を実行した後、ステップＳＰ２４に移ってこの処理手順を完了する。
【００８７】
図１０に示すように、この終了の処理手順において、制御回路１１は、ステップＳＰ２５からステップＳＰ２６に移り、最後のＣＤ−ＲＯＭに関して、終了マークを値１にセットし、ＣＤ−ＲＯＭに予め確保した領域に、この終了マーク、スタート時刻、時間長を記録し直す。
【００８８】
続いて制御回路１１は、ステップＳＰ２７に移り、ワークメモリ１２に形成したテーブルについて、ＣＤ−ＲＯＭに記録した時間により、対応するファイルのスタート時刻、終了時刻、時間長を更新する。このとき制御回路１１は、サイズオーバーフラグがセットされていない場合、併せて有効／無効フラグを有効にセットする。
【００８９】
続いて制御回路１１は、ステップＳＰ２８に移り、最初のＣＤ−ＲＯＭ（すなわちＶＯＬ１でなる）が装填されているか否か判断し、ここで否定結果が得られると、ステップＳＰ２９に移り、オペレータにＣＤ−ＲＯＭの装填を促すメッセージを表示した後、ステップＳＰ２７に戻る。これにより制御回路１１は、ユーザにより最初のＣＤ−ＲＯＭが装填されるのを待ち受け、このＣＤ−ＲＯＭが装填されるとステップＳＰ２８からステップＳＰ２９に移り、ワークメモリ１２のテーブルをＣＤ−ＲＯＭに記録し直した後、ステップＳＰ３１に移ってこの処理手順を完了する。
【００９０】
（２）画像データの再生
図１１は、このようにして記録されたＣＤ−ＲＯＭを再生し、さらにはこのようして形成されたＣＤ−ＲＯＭをマスタにして作成されたＣＤ−ＲＯＭを再生する画像データ処理装置２０を示すブロック図である。なお図１１において、図１に示す構成と同一の構成は同一の符号を付して示し、これにより重複した説明を省略する。
【００９１】
すなわちこの画像データ処理装置２０は、２台のＣＤ−ＲＯＭドライブ装置２１及び２２を有し、このＣＤ−ＲＯＭドライブ装置２１及び２２は、それぞれＳＣＳＩインターフェース２３及び２４を介して制御回路２５より入力される制御コマンドに応じて動作を切り換える。さらにＣＤ−ＲＯＭドライブ装置２１及び２２は、それぞれＣＤ−ＲＯＭを再生し、その結果得られるＭＰＥＧフォーマットの再生データを、それぞれＦＩＦＯメモリ２６及び２７を介して制御回路２５に出力する。
【００９２】
バッファメモリ２８及び２９は、それぞれバスＢＵＳを介して入力される再生データを一時格納して復号器３０及び３１に出力する。このときバッファメモリ２８及び２９は、それぞれバスＢＵＳに出力される再生データのうち、ＣＤ−ＲＯＭドライブ装置２１及び２２に対応する再生データを選択的に入力して出力する。
【００９３】
復号器３０及び３１は、ビデオ符号化器３（図１）とは逆に、順次入力される再生データをディジタルビデオ信号に変換して出力する。かくするにつき、各復号器３０及び３１は、それぞれビデオ符号化器３の情報源符号化器４、ビデオ信号多重化符号化器６、符号化制御回路５に対応する構成を有し、これによりそれぞれＣＤ−ＲＯＭドライブ装置２１及び２２に装填されたＣＤ−ＲＯＭについて、各ＣＤ−ＲＯＭのディジタルビデオ信号ＤＶを復号する。
【００９４】
これら復号器３０及び３１は、バスＢＵＳを介して制御回路２５より発行される制御コマンドに応動して動作を切り換え、選択回路３２は、同様にバスＢＵＳを介して制御回路２５により制御されて、復号器３０及び３１から出力されるディジタルビデオ信号を選択出力する。
【００９５】
制御回路２５は、この画像データ処理装置２０全体の動作を制御するマイクロコンピュータでなり、この実施例においては入出力装置１３を構成するディスプレイに図７に示すアイコン３６〜４１を表示し、オペレータがマウスを用いてこれらアイコン３６〜４１をクリックすると、クリックされたアイコンに対応して全体の動作を切り換える。
【００９６】
なおここでアイコン３６は、通常の再生の動作を示し、アイコン３７及び３８は、それぞれ順方向及び逆方向の早送り再生を示す。またアイコン３９及び４０は、２つのＣＤ−ＲＯＭを跨がって順方向及び逆方向に早送り再生する動作を示し、アイコン４１は再生動作の停止を示す。
【００９７】
このうち１枚目のＣＤ−ＲＯＭから順次ＣＤ−ＲＯＭを再生するモードが選択され、通常の再生の動作を示すアイコン３６がクリックされると、制御回路２５は、図１３に示す処理手順を実行し、これによりＣＤ−ＲＯＭを再生する。すなわち制御回路２５は、ステップＳＰ４１からステップＳＰ４２に移り、初期化処理を実行する。なおこの図１３に示す処理手順は、テーブルの有効／無効フラグが有効にセットされている場合である。
【００９８】
図１４に示すように、この初期化処理において、制御回路２５は、ステップＳＰ４３からステップＳＰ４４に移り、ここでＳＣＳＩインターフェース２３及び２４を介してＣＤ−ＲＯＭドライブ装置２１及び２２に制御コマンドを発行し、ＶＯＬ１に相当するＣＤ−ＲＯＭがＣＤ−ＲＯＭドライブ装置２１又は２２に装填されているか否か判断する。ここで否定結果が得られると、制御回路２５は、ステップＳＰ４５に移り、入出力装置１３を介してオペレータにＣＤ−ＲＯＭの装填を促すメッセージを表示した後、ステップＳＰ４４に戻る。
【００９９】
これに対してＶＯＬ１に相当するＣＤ−ＲＯＭが装填されている場合、制御回路２５は、ステップＳＰ４４からステップＳＰ４６に移り、ここでＣＤ−ＲＯＭドライブ装置２１又は２２に制御コマンドを発行し、最初のＣＤ−ＲＯＭからテーブルのデータを再生し、このテーブルをワークメモリ１２に形成する。
【０１００】
続いて制御回路２５は、ステップＳＰ４７に移り、ＣＤ−ＲＯＭの枚数を表す変数ｎを値１にセットする。続いて制御回路２５は、ステップＳＰ４８に移り、ここでこのテーブルより変数ｎの最終値（ｎ−ＥＮＤ）をセットし、ステップＳＰ４９に移ってこの初期化処理を終了する。これにより制御回路２５は、最初のＣＤ−ＲＯＭに記録された管理用テーブルをワークメモリ１２に展開し、このワークメモリ１２に形成したテーブルに従って続く再生処理を実行するようになされている。
【０１０１】
すなわち制御回路２５は、続いてステップＳＰ５０に移り、この最初のＣＤ−ＲＯＭが装填されたＣＤ−ＲＯＭドライブ装置２１又は２２に再生のコマンドを発行し、このＣＤ−ＲＯＭの再生を開始する。さらに制御回路２５は、続いてステップＳＰ５１に移り、対応する復号器３０又は３１に制御コマンドを発行して復号の処理を開始すると共に、選択回路３２の接点を復号器３０又は３１に切り換え、また順次得られる再生データをバッファメモリ２８又は２９を介して復号器３０又は３１に転送する。
【０１０２】
これにより制御回路２５は、この最初のＣＤ−ＲＯＭについて順次ディジタルビデオ信号ＤＶを再生して出力し、続くステップＳＰ５３に移る。ここで制御回路２５は、変数ｎが変数ｎの最終値（ｎ−ＥＮＤ）に一致するか否か判断することにより、現在再生中のＣＤ−ＲＯＭが最後のＣＤ−ＲＯＭか否か判断する。ここで否定結果が得られると、制御回路２５は、ステップＳＰ５４に移り、ＣＤ−ＲＯＭのサブコードとして再生される時間情報より現在の再生時刻を検出し、この現在の再生時刻がワークメモリ１２に格納された続くＣＤ−ＲＯＭのスタート時刻の１分前になったか否か判断する。
【０１０３】
ここで否定結果が得られると、制御回路２５は、ステップＳＰ５５に移り、現在の再生時刻がワークメモリ１２に格納された続くＣＤ−ＲＯＭのスタート時刻と一致するか否か判断し、ここで否定結果が得られるとステップＳＰ５６に移る。ここで制御回路２５は、同様に現在の再生時刻が適切な切り換え時刻になったか否か判断し、否定結果が得られると、ステップＳＰ５０に戻る。
【０１０４】
これにより制御回路２５は、最初のＣＤ−ＲＯＭについて、順次ステップＳＰ５０−ＳＰ５１−ＳＰ５２−ＳＰ５３−ＳＰ５４−ＳＰ５５−ＳＰ５６−ＳＰ５０の処理手順を繰り返し、このＣＤ−ＲＯＭに記録されたディジタルビデオ信号ＤＶを再生して出力する。
【０１０５】
このようにして順次ステップを繰り返して再生の処理を実行すると、最初のＣＤ−ＲＯＭが装填されたＣＤ−ＲＯＭドライブ装置２１又は２２においては、このＣＤ−ＲＯＭを順次再生し、やがて現在の再生時刻が続くＣＤ−ＲＯＭのスタート時刻に近づくようになる。この場合制御回路２５においては、現在の再生時刻が続くＣＤ−ＲＯＭのスタート時刻の１分前になると、ステップＳＰ５４において肯定結果が得られ、ステップＳＰ５７に移る。
【０１０６】
ここで制御回路２５は、続くＣＤ−ＲＯＭが他方のＣＤ−ＲＯＭドライブ装置２２又は２１に装填されているか否か判断し、ここで肯定結果が得られると、ステップＳＰ５５に移る。これに対してステップＳＰ５７で否定結果が得られると、制御回路２５は、ステップＳＰ５８に移り、入出力装置１３を介して、この他方のＣＤ−ＲＯＭドライブ装置２２又は２１に続くＣＤ−ＲＯＭの装填を促すメッセージを表示した後、ステップＳＰ５０に戻る。
【０１０７】
これにより制御回路２５は、オペレータが続くＣＤ−ＲＯＭを他方のＣＤ−ＲＯＭドライブ装置２２又は２１に装填するまで、ステップＳＰ５０−ＳＰ５１−ＳＰ５２−ＳＰ５３−ＳＰ５４−ＳＰ５７−ＳＰ５８−ＳＰ５０の処理手順を繰り返し、継続して続くＣＤ−ＲＯＭの装填を促すメッセージを表示する。なおこのようにメッセージを表示してもオペレータがＣＤ−ＲＯＭを装填しない場合、ＣＤ−ＲＯＭドライブ装置２１又は２２において再生時刻が適切な切り換え時刻を過ぎることにより、制御回路２５は、この時刻を検出して別途規定の処理手順を実行し、再生の処理を中止する。
【０１０８】
これに対してオペレータが続くＣＤ−ＲＯＭを装填した場合、制御回路２５は、ステップＳＰ５０−ＳＰ５１−ＳＰ５２−ＳＰ５３−ＳＰ５４−ＳＰ５７−ＳＰ５５−ＳＰ５６−ＳＰ５０の処理手順を繰り返し、やがて現在の再生時刻が続くＣＤ−ＲＯＭのスタート時刻になる。この場合制御回路２５は、ステップＳＰ５５において肯定結果が得られることにより、ステップＳＰ５９に移り、この続くＣＤ−ＲＯＭについて再生開始のコマンドを発行すると共に、それまで動作を停止していた復号器３０又は３１を立ち上げた後、ステップＳＰ５０に戻る。
【０１０９】
これにより制御回路２５は、続くＣＤ−ＲＯＭのスタート時刻になると、最初のＣＤ−ＲＯＭと続くＣＤ−ＲＯＭとを同時並列的に再生するように制御コマンドを発行した後、ステップＳＰ５０−ＳＰ５１−ＳＰ５２−ＳＰ５３−ＳＰ５４−ＳＰ５７−ＳＰ５５−ＳＰ５６−ＳＰ５０の処理手順を繰り返す。
【０１１０】
このとき制御回路２５は、最初のＣＤ−ＲＯＭ及び続くＣＤ−ＲＯＭより得られる時間情報に基づいて、この２つのＣＤ−ＲＯＭに重複して記録された対応する画像データが同一のタイミングで再生されるように、２系統の再生系を同期運転する。
【０１１１】
このようにして重複して記録された画像データを同時並列的に再生すれば、フレーム間符号化処理及びフレーム内符号化処理を繰り返して画像データを記録した場合でも、１分間程度、同時並列的にＣＤ−ＲＯＭを再生して、それまで再生し続けていたＣＤ−ＲＯＭと再生を開始したＣＤ−ＲＯＭとの間で何ら差異のない画像データを確実に復号することができる。
【０１１２】
これにより制御回路２５は、ステップＳＰ５０−ＳＰ５１−ＳＰ５２−ＳＰ５３−ＳＰ５４−ＳＰ５７−ＳＰ５５−ＳＰ５６−ＳＰ５０の処理手順を繰り返して適切な切り換え時刻になると、ステップＳＰ５６で肯定結果が得られることにより、ステップＳＰ６０に移り、ここで選択回路３２を切り換え制御する。さらに制御回路２５は、最初のＣＤ−ＲＯＭが装填されたＣＤ−ＲＯＭドライブ装置２１又は２２に対して動作停止、ＣＤ−ＲＯＭ排出のコマンドを発行した後、ステップＳＰ５０に戻る。
【０１１３】
これにより制御回路２５は、最初のＣＤ−ＲＯＭから続くＣＤ−ＲＯＭに再生の対象を切り換え、このとき１分間の重複期間を有効に利用して２台のＣＤ−ＲＯＭドライブ装置２１及び２２を同期運転した後、選択回路３２の接点を切り換えることにより、ＣＤ−ＲＯＭ間に跨がる画像を違和感なく再生することができる。
【０１１４】
このようにして続くＣＤ−ＲＯＭに再生対象を切り換えてステップＳＰ５０に戻ると、制御回路２５は、同様にしてステップＳＰ５０、ステップＳＰ５１の処理手順を実行し、続くステップＳＰ５２において、既に最初のＣＤ−ＲＯＭについては再生処理が完了していることにより否定結果を得ることができる。これにより制御回路２５は、ステップＳＰ５２からステップＳＰ６１に移り、ここで変数ｎが変数ｎの最終値（ｎ−ＥＮＤ）に一致するか否か判断することにより、最終のＣＤ−ＲＯＭについて再生処理を完了したか否か判断する。この場合制御回路２５においては、否定結果が得られることにより、ステップＳＰ６１からステップＳＰ６２に移り、再生を開始したＣＤ−ＲＯＭに対応するように変数ｎをインクリメントした後、ステップＳＰ５０に戻る。
【０１１５】
かくして制御回路２５は、上述した一連の処理を続くＣＤ−ＲＯＭについても実行し、これにより複数枚に分割して記録したディジタルビデオ信号ＤＶを順次再生して出力する。
【０１１６】
このようにして一連の処理手順を繰り返して最終のＣＤ−ＲＯＭを再生する場合、ワークメモリ１２に格納したテーブルの続くファイル名の欄にＮＵＬＬが記録されていることにより、制御回路２５は、ステップＳＰ５３において、肯定結果が得られ、ステップＳＰ５０−ＳＰ５１−ＳＰ５２−ＳＰ５３−ＳＰ５０の処理手順をこのＣＤ−ＲＯＭの再生を完了するまで繰り返す。
【０１１７】
さらに制御回路２５においては、再生を完了すると、ステップＳＰ５２において肯定結果が得られることにより、ステップＳＰ６１に移る。ここで制御回路２５は、変数ｎが変数ｎの最終値（ｎ−ＥＮＤ）に一致することにより、肯定結果が得られ、ステップＳＰ６３に移ってこの処理手順を終了する。
【０１１８】
これに対してサイズオーバーフラグがセットされている場合、制御回路２５は、変数ｎの最終値（ｎ−ＥＮＤ）をテーブルのサイズより大きな値に設定し、図１３について上述した処理手順を繰り返し、これによりテーブルに規定された範囲ではこのテーブルに記録された管理用データに従って動作を切り換え、テーブルを越える範囲については、動作の切り換えをオペレータの操作に委ねる。
【０１１９】
これに対して他の再生のアイコン３７〜４０がクリックされた場合、制御回路２５は、同様に制御コマンドを発行し、またワークメモリ１２にテーブルが展開されていない場合は、最初のＣＤ−ＲＯＭの装填を促すメッセージを表示してこの最初のＣＤ−ＲＯＭよりワークメモリ１２にテーブルを展開し、このテーブルに従ってクリックされたアイコンに対応するように全体の動作を切り換える。
【０１２０】
このとき制御回路２５は、サイズオーバーフラグがセットされている場合、番組全体の時間長とテーブルに記録された最終ファイルの終了時刻より、管理可能な領域を表示し、この範囲でランダムアクセス等の処理を実行し、この際必要に応じてＣＤ−ＲＯＭの装填を促すメッセージを表示する。
【０１２１】
これによりこの画像データ処理装置においては、この管理用データを規準にして編集作業等を簡略化することができる。特にこの種の編集作業においては、イン点等でなる編集ポイントを高速度でサーチして設定する場合が多く、このような場合には編集ポイントの前後を再生して確認する作業が実行される。このような場合に、この実施例においては、１つのＣＤ−ＲＯＭに、前後のＣＤ−ＲＯＭと重複した画像データが記録されていることにより、単に１つのＣＤ−ＲＯＭにより編集可能な場合でも、この種の確認作業を簡易に実行することができ、その分編集作業の効率を向上することができる。
【０１２２】
（３）実施例の動作
以上の構成において、記録時、順次入力されるディジタルビデオ信号ＤＶ（図１）は、その画像データがＭＰＥＧに規定されたフォーマットにより符号化データＤＦに変換され、動きベクトル等のデータと共に、バスＢＵＳを介してＣＤ−ＲＯＭ書き込み装置２に入力される。これによりこの符号化データＤＦは、ＣＤ−ＲＯＭのフォーマットに従ってＣＤ−ＲＯＭに記録される。
【０１２３】
この記録の際、制御回路１１により、予め収録する番組の時間長と、１枚のＣＤ−ＲＯＭに記録可能な標準の記録時間とから、記録に要するＣＤ−ＲＯＭの枚数が予測され、予測される枚数分だけ、各ＣＤ−ＲＯＭのボリューム名称、ファイル名、スタート時刻、終了時刻、時間長、適切な切り換え時刻で形成されるテーブルがワークメモリ１２に形成される。
【０１２４】
さらに最初のＣＤ−ＲＯＭにおいて、リードインエリアに続く先頭の記録領域に、ボリューム名称、番組全体の時間長、テーブルの有効／無効フラグが記録された後、ワークメモリに形成された予測値に基づいてテーブルが記録され、続いて終了マーク、スタート時刻、時間長、画像データで形成されるファイルが記録される。
【０１２５】
この画像データは、１枚のＣＤ−ＲＯＭが書き込み困難になるまでＣＤ−ＲＯＭ書き込み装置２に装填されたＣＤ−ＲＯＭに書き込まれ、残りが順次続くＣＤ−ＲＯＭに書き込み困難になるまで書き込まれる。このとき続くＣＤ−ＲＯＭ以降においては、先頭領域に各ＣＤ−ＲＯＭのボリューム名称が記録された後、続いて終了マーク、スタート時刻、時間長、画像データで形成されるファイルが記録される。
【０１２６】
また符号化データＤＦは、連続するＣＤ−ＲＯＭ間で、２分間分の画像データが重複するように記録される。これによりＣＤ−ＲＯＭにおいては、単に復号結果を切り換えて出力するだけの簡易な構成で連続するＣＤ−ＲＯＭより連続する画像データを違和感なく再生することができ、また編集作業等を簡略化することができる。
【０１２７】
このようにして予定した番組を収録する際に、ワークメモリ１２に形成された予測値に基づくテーブルが、記録結果により正しいスタート時刻、終了時刻等に記録し直され、番組の収録が完了すると、このテーブルにより最初のＣＤ−ＲＯＭのテーブル、有効／無効フラグが更新される。これによりＣＤ−ＲＯＭにおいては、予測値によるテーブルを記録して予め確保した領域に、記録結果に基づく正しいテーブルが記録され、複数枚のＣＤ−ＲＯＭを管理する管理用データが記録される。
【０１２８】
これによりこのＣＤ−ＲＯＭにおいては、再生時、この管理用データを規準にして複数枚のＣＤ−ＲＯＭを管理することができる。従って複数枚のＣＤ−ＲＯＭに画像データを記録して、使い勝手を向上できることにより、その分無理して１枚のＣＤ−ＲＯＭに記録する場合のような画質劣化を有効に回避することができる。
【０１２９】
また各ＣＤ−ＲＯＭにおいても、先頭領域に予め予測値による時間情報が記録されて領域が確保された後、記録結果に基づいて正しい時間情報が記録されることにより、１枚だけで使用する場合に、使い勝手を向上することができる。
【０１３０】
（４）実施例の効果
以上の構成によれば、符号化データを複数のＣＤ−ＲＯＭに分割して記録し、予め確保した領域に記録結果による管理用データを記録することにより、内容に応じてデータ量が大きく変化するＭＰＥＧ方式により画像データを符号化して記録する場合でも、この複数枚のＣＤ−ＲＯＭを簡易かつ確実に管理することができる。従って無理して１枚のＣＤ−ＲＯＭに記録することなく長時間の画像データを記録することができ、これにより画質劣化を有効に回避して大量のデータを記録することができる。
【０１３１】
また前後のＣＤ−ＲＯＭで一部重複するように画像データを記録することにより、フレーム間符号化処理及びフレーム内符号化処理を繰り返して符号化した画像データを再生する際に、単にこの重複部分で復号結果を切り換えて出力するだけの簡易な構成で違和感のない画像データを得ることができ、また編集作業も簡略化することができる。
【０１３２】
（５）他の実施例
なお上述の実施例においては、予測によるテーブルを記録することにより予めテーブルの記録に必要な領域を確保する場合について述べたが、本発明はこれに限らず、予測によるテーブルに対応するように無記録の領域を確保し、記録結果に基づいてこの領域にテーブルを記録してもよい。
【０１３３】
さらに上述の実施例においては、フレーム内符号化処理及びフレーム間符号化処理を繰り返して符号化処理する場合について述べたが、本発明はこれに限らず、例えばフレーム内符号化処理だけで符号化処理する場合、さらには続く記録媒体の記録開始の所定期間だけはフレーム内符号化処理により符号化処理する場合等にあっては、前後のＣＤ−ＲＯＭで重複記録する処理を省略してもよい。
【０１３４】
また上述の実施例においては、管理用データとしてスタート時刻等に加えて適切な切り換え時刻等を記録する場合について述べたが、本発明はこれに限らず、要は複数の記録媒体又は情報記録面を管理する時間情報が記録されていれば良く、例えばスタート時刻と終了時刻から各ファイルの時間長を算出できることにより、時間長の記録を省略してもよく、また予め重複して記録する時間を一定時間に規定しておけば、適切な切り換え時刻、さらにはスタート時刻又は終了時刻についても省略することができる。
【０１３５】
さらに上述の実施例においては、１台のＣＤ−ＲＯＭ書き込み装置により画像データを記録し、また２台のＣＤ−ＲＯＭドライブ装置により画像データを再生する場合について述べたが、本発明はこれに限らず、例えば複数台のＣＤ−ＲＯＭ書き込み装置により画像データを記録する場合、１台又は３台以上のＣＤ−ＲＯＭドライブ装置により画像データを再生する場合、さらにはオートチェンジャーによりＣＤ−ＲＯＭを交換して記録再生する場合等に広く適用することができる。
【０１３６】
また上述の実施例においては、画像データをＣＤ−ＲＯＭに記録し、また再生する場合について述べたが、本発明はこれに限らず、併せて音声信号を記録し、また再生する場合にも適用することができる。
【０１３７】
また音声信号を単独で記録する場合でも、音声データの内容に応じてデータ量が変化する符号化方式にあっては、広く適用することができる。
【０１３８】
さらに上述の実施例においては、ＮＴＳＣ方式のディジタルビデオ信号を記録再生する場合について述べたが、本発明はこれに限らず、ＰＡＬ方式、ＳＥＣＡＭ方式のディジタルビデオ信号を記録再生する場合にも広く適用することができる。
【０１３９】
また上述の実施例においては、記録媒体としてＣＤ−ＲＯＭを用いる場合について述べたが、本発明はこれに限らず、光磁気ディスク、フロッピディスク、ハードディスク等のディスク状記録媒体に種々のデータを記録する場合、さらには磁気テープ等の記録媒体に種々のデータを記録する場合に広く適用することができる。またこれらの場合において、例えばディスク状記録媒体の両面に一連のデータを分割して記録する場合、さらには片面に形成した複数の情報記録面に一連のデータを分割して記録する場合にも広く適用することができる。
【０１４０】
さらに上述の実施例においては、データの内容に応じてデータ圧縮率が大きく変化し、記録結果を正しく予測できない場合に本発明を適用する場合について述べたが、本発明はこれに限らず、記録媒体の記録容量を正しく把握できないことにより記録結果を正しく予測できない場合、さらにはデータ量を正しく把握できないことにより記録結果を正しく予測できない場合等にも広く適用することができる。
【０１４１】
【発明の効果】
上述のように本発明によれば、一連のデータを複数の前記記録媒体に分割して記録する際に、複数の前記記録媒体を各前記記録媒体と関連づけて管理する管理データと前記データの記録が第２の前記記録媒体で終了しているかを識別する終了識別データとを一括管理する管理テーブルと、該管理テーブルが更新されたか否かを識別する管理フラグとを、第１の前記記録媒体に記録させることにより、再生時に、この管理テーブルと管理フラグに基づいて正しく複数の記録媒体を管理することができる。
また、本発明では、一連のデータを記録媒体の複数の記録面に分割して記録する際に、複数の前記記録面を各前記記録媒体と関連づけて管理する管理データと前記データの記録が第２の前記記録面で終了しているかを識別する終了識別データとを一括管理する管理テーブルと、該管理テーブルが更新されたか否かを識別する管理フラグとを、第１の前記記録面に記録させることにより、再生時に、この管理テーブルと管理フラグに基づいて正しく記録媒体の複数の記録面を管理することができる。
従って、本発明によれば、大量のデータを複数の記録媒体等に分割して記録して、これら複数の記録媒体等を簡易かつ確実に管理することができる。これにより例えば画像データについては、画質劣化を有効に回避して大量の画像データを記録することができる。
【図面の簡単な説明】
【図１】本発明の一実施例による画像データの記録に供する画像データ処理装置を示すブロック図である。
【図２】図１の画像データ処理装置により記録されるテーブル等を示す図表である。
【図３】図１の画像データ処理装置により記録されるファイルを示す図表である。
【図４】図２の記録の説明に供する図表である。
【図５】画像データの記録予測の説明に供する略線図である。
【図６】図５に対応して実際の画像データの記録の説明に供する略線図である。
【図７】図３の記録の説明に供する図表である。
【図８】図１の画像データ処理装置の動作の説明に供するフローチャートである。
【図９】図８の初期化処理の説明に供するフローチャートである。
【図１０】図８の終了の処理の説明に供するフローチャートである。
【図１１】本発明の一実施例による画像データの再生に供する画像データ処理装置を示すブロック図である。
【図１２】図１１の画像データ処理装置のアイコンを示す略線図である。
【図１３】図１１の画像データ処理装置の動作の説明に供するフローチャートである。
【図１４】図１３の初期化処理の説明に供するフローチャートである。
【図１５】ＭＰＥＧのデータ構造の説明に供する略線図である。
【符号の説明】
１、２０        画像データ処理装置
２              ＣＤ−ＲＯＭ書き込み装置
３              ビデオ符号化器
１１、２５      制御回路
１２            ワークメモリ
２１、２２      ＣＤ−ＲＯＭドライブ装置
３０、３１      復号器
【図１】
0003656282.tif 000002
【図２】
0003656282.tif 000003
【図３】
0003656282.tif 000004
【図４】
0003656282.tif 000005
【図５】
0003656282.tif 000006
【図６】
0003656282.tif 000007
【図７】
0003656282.tif 000008
【図８】
0003656282.tif 000009
【図９】
0003656282.tif 000010
【図１０】
0003656282.tif 000011
【図１１】
0003656282.tif 000012
【図１２】
0003656282.tif 000013
【図１３】
0003656282.tif 000014
【図１４】
0003656282.tif 000015
【図１５】
0003656282.tif 000016